(57)【要約】【課題】安価な構成で、子供や高齢者等の音楽知識の乏しい人にも手軽に簡単にリズム楽器として楽しむことのできる、スピーカー型リズム楽器を提供する。【解決手段】スピーカー型リズム楽器は、コイル（１１，１２）と、永久磁石（１２，２２）と、振動部材（１３，２３）と、相対位置変位手段（１４，２３ｂ）とを備える。コイルは、音源信号に基づく電気信号の供給を受ける。永久磁石は、電気信号がコイルに流れるときに、当該コイルとの近接状態によって電磁結合を変化させる。振動部材は、コイルと永久磁石の少なくとも一方に関連して設けられ、コイルと永久磁石の電磁結合による振動に応じて音を発生する。相対位置変位手段は、コイルと磁石の相対的位置関係を変位させ又は変化させる。それによって、相対位置変位手段の位置変化によって音の発生状態を変化させて、コイルと永久磁石とからなるスピーカーをリズム楽器として機能させる。【選択図】図１
2020106829.tif 000002
【特許請求の範囲】
【請求項１】
音源信号に基づく電気信号の供給を受けるコイル、
前記電気信号が前記コイルに流れるときに、当該コイルとの近接状態によって電磁結合を変化させる永久磁石、
前記コイルと前記永久磁石の少なくとも一方に関連して設けられ、コイルと永久磁石の電磁結合による振動に応じて音を発生する振動部材、および
前記コイルと前記磁石の相対的位置関係を変位させる相対位置変位手段を備え、
前記相対位置変位手段による位置変位に応じて音の発生状態を変化させて、リズム楽器として機能させることを特徴とする、スピーカー型リズム楽器。
【請求項２】
前記相対位置変位手段は、平坦面を有する基台と、基台の一部に装着されかつ基台の平坦面に対して近接し又は離れるように移動自在な板状部材とからなり、
前記板状部材を基台に対して近接させ又は遠ざけるように操作することによって、前記電磁結合を変化させて、板状部材の操作に応じたリズム音を発生させることを特徴とする、請求項１に記載のスピーカー型リズム楽器。
【請求項３】
前記板状部材は、その一部が前記基台の一部に装着されて、平坦面に対向する回動軸を中心として回動自在に支持される、請求項２に記載のスピーカー型リズム楽器。
【請求項４】
前記板状部材は、その一方主面が前記基台の平坦面から前記電磁コイルの厚さに関連する所定の長さだけ間隔を保って保持され、基台の平坦面から所定の長さだけ離れた位置を回動軸として回動方向に移動自在なように、その端部が基台の一部に装着されて支持される、請求項３に記載のスピーカー型リズム楽器。
【請求項５】
前記板状部材は、前記基台の平坦面に対向する面であり、装着された辺とは反対側の開放端部の近傍位置に第１の反発用磁石を装着し、
前記基台は、前記第１の磁石に対向する平坦面に、第１の反発用磁石の極性とは異なる極性を対向させた第２の反発用磁石を装着し、
前記板状部材を回動させて前記基台の平坦面に近接させたときに、前記第１の反発用磁石と第２の反発用磁石との反発力によって、板状部材が基台の平坦面に所定距離以上に近接することを防止することを特徴とする、請求項３または請求項４に記載のスピーカー型リズム楽器。
【請求項６】
前記相対位置変位手段は、平坦面を有する基台と、基台の一部に装着されかつ基台の平坦面に対して近接し又は離れるように移動自在な板状部材とからなり、板状部材が左板状部材と右板状部材に分離されかつそれぞれが独立して基台に対して近接させ又は遠ざけるように移動自在に構成され、
前記コイルは、左用コイルと右用コイルの２つ設けられ、
前記永久磁石は、左用永久磁石と右用永久磁石の２つ設けられ、
前記左用コイルと前記左用永久磁石が対をなして対向し、前記右用コイルと前記右用永久磁石が対をなして対向するように、対をなす左用コイルまたは左用永久磁石の一方と、対をなす右用コイルまたは右用永久磁石の一方が基台側に装着され、対をなす左用コイルまたは左用永久磁石の他方が左板状部材に装着され、対をなす右用コイルまたは右用永久磁石の他方が右板状部材に装着され、
前記左板状部材を前記基台に対して近接させ又は遠ざけるように操作することによって、前記左用コイルと前記左用永久磁石の電磁結合を変化させて、左板状部材の操作に応じたリズム音を発生させるとともに、前記右板状部材を基台に対して近接させ又は遠ざけるように操作することによって、前記右用コイルと前記右用永久磁石の電磁結合を変化させて、右板状部材の操作に応じたリズム音を発生させることを特徴とする、請求項１に記載のスピーカー型リズム楽器。
【請求項７】
前記スピーカー型リズム楽器は、左用の第１の増幅手段と右用の第２の増幅手段をさらに備え、
音源部からの左チャンネルの音源信号を前記左用増幅手段に供給し、右チャンネルの音源信号を前記右用増幅手段に供給し、前記左用増幅手段の出力信号によって前記左用コイルを励磁し、前記右用増幅手段の出力信号によって前記右用コイルを励磁する、請求項６に記載のスピーカー型リズム楽器。
【請求項８】
前記左用永久磁石の装着された前記相対位置変位手段に関連して左用ピックアップを装着し、前記右用永久磁石の装着された前記相対位置変位手段に関連して右用ピックアップを装着し、
左用の第１のスピーカーと右用の第２のスピーカーを関連的に設け、
前記左用ピックアップによって検出された電気信号を増幅して前記第１のスピーカーを駆動する第３の増幅手段と、前記右用ピックアップによって検出された電気信号を増幅して前記第２のスピーカーを駆動する第４の増幅手段を設けたことを特徴とする、請求項７に記載のスピーカー型リズム楽器。
【発明の詳細な説明】
【技術分野】
【０００１】
この発明は、スピーカー型リズム楽器に関し、特に例えばＣＤプレイヤー又はディジタルオーディオプレイヤー等の音源ユニットから楽曲の音源信号の供給を受けて音を発生するスピーカーをリズム楽器として用いる、スピーカー型リズム楽器に関する。
【背景技術】
【０００２】
従来、スピーカーは、ＣＤプレイヤー，ディジタルオーディオプレイヤー又はラジオカセットプレイヤー等の音源ユニットから楽曲等の音源信号の供給を受けて音又は音楽を発生することが知られている。
従来のスピーカーは、例えば非特許文献１に掲載されているように、音源信号に基づく電流をコイルに流す際に、コイルと磁石によって振動を発生する。そのコイルと磁石による振動エネルギーをその前に置かれた振動板とコーンにより、空気振動に変換することによって、人間の耳に音声又は音楽として聴覚される。係るスピーカーは、楽器ではなく、入力された音源信号（電気信号）を忠実に音として再現するトランスデューサー（変換器）である。
【０００３】
本願発明者は、コイル（励磁コイル）と永久磁石からなるスピーカーを用いた音発生装置として特許文献１の発明を提案するとともに、磁気理科教材として特許文献２の発明を提案した。
特許文献１は、皿や花瓶等の載置物をテーブルに載せたときに、所望の音声が聞こえるようにした音発生装置である。
特許文献２は、電磁力の作用により音を発生させてスピーカーとすることのできるメカニズムを容易に理解できるようにした磁気理科教材である。
【０００４】
特許文献３は、ヘッド３やフープ６等の打楽器１の所定部位を打撃した音をスピーカーから出力したり、スピーカー５から楽曲の音や伴奏音を出力することにより、演奏者が楽曲や伴奏に合せて打楽器１を演奏することの可能な打楽器を開示する。
【先行技術文献】
【特許文献】
【０００５】
【特許文献１】実用新案登録第３２０８８９３号（図１，図２、段落番号［００１２］〜［００２４］）
【特許文献２】特開２０１６−９９５７８号公報（図２，図４、段落番号［００１７］〜［００２１］）
【特許文献３】特開２０１８−１８９９１１号公報（図１、段落番号［００１７］［００２２］）
【非特許文献】
【０００６】
【非特許文献１】https://elife-media.jp/3680  ｅｌｉｆｅ＞スピーカーの原理を図で解説
【発明の概要】
【発明が解決しようとする課題】
【０００７】
特許文献１の音発生装置は、当初もの珍しさもあって注目され、興味を持って見られるが、発生できる音声を一通り聞くと飽きられ易く、継続的に長く注目を引いたり使用されることも少ない。また、この音声発生装置に接した人に、自ら操作し又は使用する楽しみを与えることも少なく、面白さに欠ける。
【０００８】
特許文献２の磁気理科教材は、音の発生の仕組みを教える教材として有用であるが、遊び的な使い方ができるものではなく、使用者を楽しませるものではないので、長く使用されることも少なく、面白さに欠ける。
【０００９】
特許文献３の打楽器は、ティンパニー，ボンゴ，コンガ，ドラム等の既存の打楽器の代わりに演奏されるものであって、価格的に高価であり、子供や高齢者等の音楽知識の乏しい人には手軽に楽しみながら演奏されることもない。
【００１０】
この発明の主たる目的は、安価な構成で、子供や高齢者等の音楽知識の乏しい人にも手軽に簡単にリズム楽器として楽しむことのできる、スピーカー型リズム楽器を提供することである。
【００１１】
この発明の他の目的は、楽曲に合わせて簡単な操作で恰もリズム楽器を演奏しているような感覚を味わうことのできる、スピーカー型リズム楽器を提供することである。
【課題を解決するための手段】
【００１２】
第１の発明（請求項１に係る発明）は、コイルと、永久磁石と、振動部材と、相対位置変位手段とを備える、スピーカー型リズム楽器である。
コイルは、音源信号に基づく電気信号の供給を受ける。永久磁石は、電気信号がコイルに流れるときに、当該コイルとの近接状態によって電磁結合を変化させる。振動部材は、コイルと永久磁石の少なくとも一方に関連して設けられ、コイルと永久磁石の電磁結合による振動に応じて音を発生する。相対位置変位手段は、コイルと磁石の相対的位置関係を変位させ又は変化させる。
それによって、相対位置変位手段の位置変化によって音の発生状態を変化させて、コイルと永久磁石とからなるスピーカーをリズム楽器として機能させることを特徴とする。
【００１３】
第１の発明によれば、簡単かつ安価な構成で、子供や高齢者等の音楽知識の乏しい人にも気軽に簡単にリズム楽器として楽しむことのできる、スピーカー型リズム楽器を実現できる。また、楽曲に合わせて簡単な操作で恰もリズム楽器を演奏しているような感覚や興趣を味わうこともできる。
【００１４】
第２の発明では、第１の発明において、相対位置変位手段が平坦面を有する基台と、基台の一部に装着されかつ基台の平坦面に対して近接し又は離れるように移動自在な板状部材とからなる。そして、板状部材を基台に対して近接させ又は遠ざけるように操作（又は移動）することによって、電磁結合を変化させて、板状部材の操作に応じたリズム音を発生させることを特徴とする。
【００１５】
第３の発明では、第２の発明において、板状部材はその一部が基台の一部に装着されて、基台の平坦面に対向する回動軸を中心として回動自在に支持される。
第３の発明によれば、板状部材の開放端部を持って、音源信号に基づく楽曲のリズムに合わせて回動軸を中心として移動（例えば上下移動）することにより、簡単な操作でリズム演奏でき、音楽知識の乏しい人でも、リズム演奏を楽しむことができる。
【００１６】
第４の発明では、第３の発明において、板状部材はその一方主面が基台の平坦面から電磁コイルの厚さに関連する所定の長さだけ間隔を保って保持され、基台の平坦面から所定の長さだけ離れた位置を回動軸として移動自在なように、その端部が基台の一部に装着されて支持される。
第４の発明によれば、第３の発明と同様の効果が奏される。
【００１７】
第５の発明では、第３の発明又は第４の発明において、板状部材は、基台の平坦面に対向する面であり、装着された辺とは反対側の開放端部の近傍位置に第１の反発用磁石を装着する。基台は、第１の磁石に対向する平坦面に、第１の反発用磁石の極性とは異なる極性を対向させた第２の反発用磁石を装着する。
それによって、板状部材を回動させて基台の平坦面に近接させたときに、第１の反発用磁石と第２の反発用磁石との反発力によって、板状部材が基台の平坦面に対して所定距離以上に近接することを防止している。
第５の発明によれば、無操作時におけるニュートラル位置を調整できる。また、基台の平坦面と板状部材との間隔が適度の間隔を保って保持され、板状部材が基台の平坦面に所定距離以上に近接することを防止することができる。
【００１８】
第６の発明では、第１の発明において、コイルと、永久磁石と、振動部材と、相対位置変位手段が次のように構成されるスピーカー型リズム楽器である。
すなわち、相対位置変位手段は、平坦面を有する基台と、基台の一部に装着されかつ基台の平坦面に対して近接し又は離れるように移動自在な板状部材とからなり、板状部材が左板状部材と右板状部材に分離されかつそれぞれが独立して基台に対して近接させ又は遠ざけるように移動自在に構成される。コイルは、左用コイルと右用コイルの２つ設けられる。永久磁石は、左用コイルと右用コイルの２つ設けられる。
左用コイルと左用永久磁石が対をなして対向し、右用コイルと右用永久磁石が対をなして対向するように、対をなす左用コイルまたは左用永久磁石の一方と、対をなす右用コイルまたは右用永久磁石の一方が基台側に装着される。また、対をなす左用コイルまたは左用永久磁石の他方が左板状部材に装着され、対をなす右用コイルまたは右用永久磁石の他方が右板状部材に装着される。
そして、左板状部材を基台に対して近接させ又は遠ざけるように操作することによって、左用コイルと左用永久磁石の電磁結合を変化させて、左板状部材の操作に応じたリズム音を発生させるとともに、右板状部材を基台に対して近接させ又は遠ざけるように操作することによって、右用コイルと右用永久磁石の電磁結合を変化させて、右板状部材の操作に応じたリズム音を発生させることを特徴とする。
第６の発明によれば、左手で左板状部材を操作し、右手で右板状部材を操作することにより、ステレオ音源の左右の音源信号に対応して２種類のリズム音を発生できる。
【００１９】
第７の発明では、第６の発明において、スピーカー型リズム楽器が左用の第１の増幅手段と右用の第２の増幅手段をさらに備える。
そして、音源部からの左チャンネルの音源信号を第１の増幅手段に供給し、右チャンネルの音源信号を第２の増幅手段に供給するとともに、第１の増幅手段の出力信号によって左用コイルを励磁し、第２の増幅手段の出力信号によって右用コイルを励磁する。
【００２０】
第８の発明では、第7の発明において、スピーカー型リズム楽器が左用ピックアップと右用ピックアップをさらに備える。
左用永久磁石の装着された相対位置変位手段に関連して左用ピックアップを装着し、右用永久磁石の装着された相対位置変位手段に関連して右用ピックアップを装着する。
また、左用の第１のスピーカーと右用の第２のスピーカーを関連的に設けるとともに、左用ピックアップによって検出された電気信号を増幅して第１のスピーカーを駆動する第３の増幅手段と、前記右用ピックアップによって検出された電気信号を増幅して第２のスピーカーを駆動する第４の増幅手段をさらに設ける。
第８の発明によれば、左板状部材の振動を左用ピックアップで検出し、右板状部材の振動を右用ピックアップで検出して、各ピックアップによって検出したリズム演奏に応じた各電気信号を対応する第３の増幅手段又は第４の増幅手段で増幅して出力することにより、２種類の大きな音量の音声又は音楽を発生でき、より一層変化に富んだリズム演奏を楽しむことができる。
【発明の効果】
【００２１】
この発明によれば、簡単かつ安価な構成であって、子供や高齢者等の音楽知識の乏しい人にも手軽・簡単にリズム楽器として楽しむことのできる、スピーカー型リズム楽器が得られる。また、楽曲に合わせて簡単な操作で恰もリズム楽器を演奏しているような感覚や興趣を味わうことができる。
【図面の簡単な説明】
【００２２】
【図１】この発明の一実施例のスピーカー型リズム楽器の断面図である。
【図２】この発明の他の実施例のスピーカー型リズム楽器の断面図である。
【図３】この発明の他の実施例のスピーカー型リズム楽器の斜視図である。
【図４】図２及び図３の実施例のスピーカー型リズム楽器における板状部材の取付構造の他の例を示す斜視図である。
【図５】図２及び図３の実施例のスピーカー型リズム楽器の変形例であって、ホーン型振動部材を装着した上部振動部材の他の例を示す斜視図である。
【図６】この発明のその他の実施例のスピーカー型リズム楽器の斜視図である。
【図７】図６の実施例のスピーカー型リズム楽器の変形例であって、上部板状部材に永久磁石の周りにピックアップを装着した状態を示す斜視図である。
【図８】図７の実施例におけるコイルとピックアップ部分に沿う縦断面図である。
【図９】図７の実施例における電気回路図である。
【図１０】この発明のその他の実施例のスピーカー型リズム楽器の断面図である。
【図１１】この発明のさらにその他の実施例のスピーカー型リズム楽器の断面図である。
【発明を実施するための最良の形態】
【００２３】
（実施例１）
図１はこの発明の一実施例のスピーカー型リズム楽器の断面図である。
図１において、この実施例のスピーカー型リズム楽器１０は、コイル１１と、永久磁石１２と、振動部材１３と、弾性体１４とから構成され、必要に応じて支持部材１５を含む。
【００２４】
より具体的には、コイル（又は励磁コイル）１１は、円筒状のボビンにエナメル線等の導線を数十ないし数百回程度巻回して成る。永久磁石１２は、強力な磁力を有する円柱状又はコイン状の磁石であり、フェライト磁石やネオジウム磁石等が用いられる。
振動部材１３は、厚紙，段ボール，木材の板又はプラスチック板等の材料からなる、下部振動板１３ａと上部振動板１３ｂとを含む。下部振動板１３ａのほぼ中央部には貫通孔が形成されていて、当該貫通孔には永久磁石１２が挿入される。永久磁石１２は、その周面が下部振動板１３ａに接着剤等で密着されて、固定的に装着される。下部振動板１３ａは、その下部の４隅を支持部材１５によって支持されて、机，台又は床面に置いたときに永久磁石１２と下部振動板１３ａが机等に直接接触しないように保持される。
【００２５】
上部振動板１３ｂの上面には、コイル１１が永久磁石１２の配置位置に対向する位置に接着剤等で密着されて、固定的に装着される。上部振動板１３ｂの４隅の下部には、コイルバネ又はスポンジ等の弾性材料からなる弾性体１４が装着される。弾性体１４の下部は、下部振動板１３ａに装着される。弾性体１４は、下部振動板１３ａと上部振動板１３ｂを適度の間隔を保って保持するとともに、その弾性変形によって下部振動板１３ａに対する上部振動板１３ｂの相対位置を変位させるものである。この弾性体１４と上部振動板１３ｂによって、相対位置変位（又は相対位置変化）手段が構成される。
弾性体１４は、コイル１１の上面に固着された操作部（又は操作板）１６が下向きに押されたときに弾性変形して、上部振動板１３ｂを永久磁石１２に近づけるように上下方向の位置を変化又は変位させて、電流の流れているコイル１１と永久磁石１２との磁気結合を強めるように変化させる。
一方、操作部（又は操作板）１６を押す力が解除されると、弾性体１４がその弾性力で復帰して、上部振動板１３ｂの位置を上向きに変位させて、コイル１１を永久磁石１２から遠ざけて、コイル１１と永久磁石１２との磁気結合を弱めるか又は無くさせるように働く。
【００２６】
上述のように構成されたスピーカー型リズム楽器１０は、次のようにして使用されて、リズム楽器として作用する。
使用に先立ち、音源ユニット１７と増幅回路１８が準備される。増幅回路１８の出力端子が電線（図示を省略）を介してコイル１１に接続される。音源ユニット１７は、ＣＤプレイヤー，ディジタルオーディオプレイヤー又はラジオカセットプレイヤー等の音源となる楽曲又は音楽を発生する装置であって、楽曲の音源信号を増幅回路１８に供給する。増幅回路１８は、楽曲等の音源信号を増幅してコイル１１に供給し、音源信号に応じた電流によってコイル１１を励磁する。
使用者は、手でリズム演奏するときにはスピーカー型リズム楽器１０を机又は台上に置き、足でリズム演奏するときには当該リズム楽器１０を床面に置いて、手又は足等で楽曲のリズムに合わせて操作部１６を上下に変位させるように操作し又は演奏する。
【００２７】
そして、使用者が操作部１６を押し下げたとき、弾性体１４が縮むように変形して、上部振動板１３ｂが永久磁石１２に近づくように変位する。このとき、フレミングの左手の法則に基づいて、コイル１１に流れる電流によって、コイル１１が電流の流れる方向と直交する方向（水平方向）に磁界を発生する。ここで、コイル１１に供給される音源信号の電流は、交流信号であるため、コイル１１に流れる電流の極性が音源信号の周波数に応じて交互に変化する。
このようにして、使用者が操作部１６を押し下げると、コイル１１の発生する磁界と永久磁石１２の磁界との磁気結合が強められるように変化する。応じて、電流の流れる方向と誘起した磁界の方向の両方に直行する方向（図示の上下方向）に振動の力（又は運動エネルギー）が発生して、上部振動板１３ｂと下部振動板１３ａを振動させることにより、上部振動板１３ｂ及び／又は下部振動板１３ａから音源信号に応じた空気振動が発せられる。その空気振動が、周囲の人には音または音楽として聴かれることになる。
すなわち、この実施例のスピーカー型リズム楽器１０は、コイル１１と永久磁石１２と振動部材１３との相互の作用により、スピーカーとして機能すると同時に、上部振動板１３ｂの上下操作に同期したリズム楽器として働くことになる。
【００２８】
使用者は、音楽のリズムに併せて（又は合わせて）、操作部１６を上下に変位させて、コイル１１と永久磁石１２の磁気結合をリズミカルに変化させることにより、リズム楽器の如く操作し演奏する。使用者は、スピーカーから発生される楽曲又は音楽に合わせて、自分自身のリズム演奏によって、楽曲の強弱を変化させたリズム音を発生することになる。例えば、楽曲のドラム又はベース等の音に併せて、操作部１６を上下操作すれば、ドラム又はベースの音が使用者のリズム演奏による音として強調されたやや大きな音で発生されることになる。
【００２９】
換言すれば、操作部１６を何も押さない状態のときに弱い磁気的結合を定常的に生じさせておくことにより、常時小さな音量で楽曲の音（音楽）を発生させるとともに、強く押し込んだときには大きな音量でリズム音として発生させる。
なお、弾性体１４の変位量又は上部振動板１３ｂのストロークを調節することにより、操作部１６を何も押さない状態のときにコイル１１と永久磁石１２の磁気的結合をない状態とし、少し押し込んだときにコイル１１と永久磁石１２の磁気的結合を弱めに生じさせ、さらに強く押し込んだときに磁気的結合を強く生じさせるようにしてもよい。
【００３０】
（実施例２）
図２および図３はこの発明の他の実施例のスピーカー型リズム楽器であり、特に図２はその断面図を示し、図３はその斜視図を示す。
図２および図３を参照して、他の実施例のスピーカー型リズム楽器２０について説明する。
【００３１】
スピーカー型リズム楽器２０は、コイル２１と、永久磁石２２と、振動部材２３とから構成される。この実施例では、振動部材２３が、段ボール又は厚紙等からなる箱型の基台２３ａと、基台２３ａの上面で回動自在とされる上部板状部材（又は板状部材）２３ｂによって構成される。この基台２３ａが実施例１の下部振動板１３ａと支持部材１５に対応する。
【００３２】
より具体的には、基台２３ａは、扁平な箱型形状であって、その上面に平坦面（又は天板面）２３１を有し、平坦面２３１の下方に４辺の周面を囲む側壁部２３２を形成して構成される。基台２３ａの平坦面２３１の上面中央部には、コイル２１が接着剤等によって接着されて、固定的に取付けられる。コイル２１は、実施例１のコイル１１と同様に作られる。
【００３３】
基台２３ａの一辺には、上部板状部材２３ｂの一部が装着される。この上部板状部材２３ｂは、基台２３ａの平坦面２３１とほぼ同程度の平面形状を有する上部振動板２３３と、折曲部２３４を有する。折曲部２３４は、その幅が基台２３ａの長辺とほぼ同程度であり、その奥行がコイル２１の厚みと同程度の長さに加えて側壁部２３２（図２の断面図の右側の側面、図３の斜視図の背面側の側面）に貼り付けるための貼付代の長さとを合わせた長さに選ばれる。上部振動板２３３と折曲部２３４との接合部分が、上部板状部材２３ｂの回動軸２３５となる。
換言すると、上部板状部材２３ｂは、1枚の大きな段ボール又は厚紙を上部振動板２３３と折曲部２３４を合わせた形状に切断した後、回動軸２３５の部分で折り曲げられて回動（又は折曲げ）自在に構成される。そして、折曲部２３４の下方の一部の面（貼付代の部分）が基台２３ａのある１つの側壁部（図２の右側側壁部）２３２に接着剤等で接着されて、基台２３ａに固定的に装着される。
上部板状部材２３ｂのほぼ中央部であってコイル２１の取付け位置に対応する位置には、貫通孔が形成される。この貫通孔には棒状の永久磁石２２が挿入されて、永久磁石２２が接着剤等で上部板状部材２３ｂに接着されることにより固定的に装着される。
【００３４】
換言すれば、この実施例のスピーカー型リズム楽器２０が実施例１のリズム楽器１０と異なる点は、支持部材１５に代えて基台２３ａを側壁部２３２で構成するとともに、弾性体１４に代えて上部板状部材２３ｂを上部振動板２３３と折曲部２３４で折り曲げて回動自在に構成し、さらにコイル２１と永久磁石２２の取付位置を上下逆にしたことである。
そのため、操作部１６を必要とせず、使用者がリズム演奏する場合は、上部板状部材２３ｂの開放端部（図２の左端部、図３の手前部分）を手（又は指）で摘んで、上下にリズミカルに動かすことによって、楽曲のリズムに合わせて小刻みに動かしてリズム演奏（又は操作）するものである。
【００３５】
なお、上述の実施例では、基台２３ａが矩形（四角形の直方体）で、上部板状部材２３ｂが四角形の場合を説明したが、これに限らず基台２３ａと上部板状部材２３ｂの平面形状を六角形，八角形又は円形等の形状としてもよい。基台２３ａの平面を円形状とする場合は、上部板状部材２３ｂが一部を切り欠いた半円形とし、直線部分を折曲軸として折り曲げて、当該折曲片の一部を基台２３ａの側壁部２３２に張り付けるようにする。
【００３６】
図２および図３を参照して、この実施例のスピーカー型リズム楽器２０を使用する場合の操作とそれに基づく作用（動作）を説明する。
図１の実施例１と同様に、使用に先立ち、音源ユニット１７と増幅回路１８が準備される。ここで、増幅回路１８は、基台２３ａの何れかの側壁部２３２に装着しておき、側壁部２３２の何れかに装着されているイヤホンジャク（図示せず）と電線で接続される。このイヤホンジャックには、音源ユニット１７側のイヤホンジャック（図示せず）に接続されたイヤホンプラグ（図示せず）が接続される。そして、増幅回路１８の出力端子が電線を介してコイル２１に接続される。
なお、増幅回路１８を外付けとしても良いが、その場合は側壁部２３２の一部にイヤホンジャクを装着するとともに、当該イヤホンジャックとコイル２１を電線で接続しておき、使用に際して増幅回路１８の出力端子とイヤホンジャックをイヤホンプラグ付のコードを介して接続すればよい。
【００３７】
そして、音源ユニット１７及び増幅回路１８の電源スイッチ（図示せず）が投入されると、音源ユニット１７が音源信号を出力し、この音源信号が増幅回路１８によって増幅されて、コイル２１に供給される。音源信号の電流がコイル２１に流れるとき、実施例１で説明したのと同様の原理で磁界を発生するとともに、上下方向の力を生じさせる。この状態において、使用者が上部振動板２３３の開放端部を持って下向きに移動して上部振動板２３３を回動させると、上部振動板２３３に装着された永久磁石２２と基台２３ａの平坦面２３１に装着されたコイル２１の相対的位置が変位して、コイル２１と永久磁石２２の磁気的結合状態が変化する。そして、コイル２１と永久磁石２２の磁気結合状態が一定値以上になると、平坦面２３１と上部振動板２３３が振動して、音源信号の楽曲に応じた音楽を発生する。
【００３８】
例えば、上部振動板２３３を下向きに回動させて平坦面２３１に最も近づけることにより、永久磁石２２をコイル２１に最も近接させると、両者の磁気結合が強くなり、平坦面２３１と上部振動板２３３が大きく振動して大きな音を発生する。上部振動板２３３を少し上向きに回動して平坦面２３１から少し遠ざけると、永久磁石２２とコイル２１の磁気結合が弱くなり、平坦面２３１と上部振動板２３３が小さく振動して小さな音を発生する。さらに、上部振動板２３３を上向きに回動して平坦面２３１からさらに遠ざけると、永久磁石２２とコイル２１の磁気結合がなくなり、平坦面２３１と上部振動板２３３が振動しなくなり、音を発生しなくなる。
このように、楽曲のリズムに合わせて上部振動板２３３の回動操作を行うと、楽曲のリズムに合わせて発生する音楽の音量がリズミカルに変化し、使用者にはリズム演奏している如く聞こえることになる。
【００３９】
（変形例１）
ところで、図２及び図３の実施例２において、次のような変更を加えてもよい。例えば、図２の点線で示すように、上部振動板（板状部材）２３ｂには、基台２３ａの平坦面２３１に対向する面であり、装着された辺とは反対側の開放端部の近傍位置に反発用磁石２４ｂを装着する。また、基台２３ａの平坦面２３１には、反発用磁石２４ｂに対向して、反発用磁石２４ｂの極性と異なる極性を対向させた反発用磁石２４ａを装着する。
そして、上部振動板２３３を回動させて基台２３１の平坦面２３２に近接させたときに、反発用磁石２４ａと反発用磁石２４ｂとの反発力によって、上部振動板２３ｂが基台２３ａの平坦面２３１に所定距離以上に近接することを防止して、ニュートラル状態となるように構成する。これによって、ニュートラル位置（又は無操作安定位置）での音量を調節自在としている。
【００４０】
このように構成することによって、使用者が上部振動板２３ｂを持っていないときには、定常状態として、反発用磁石２４ａと反発用磁石２４ｂとの反発力によって、上部振動板２３ｂを浮かせた状態（平坦面２３１への所定の距離以上に近接するのを防止した状態）を保ちつつ、コイル２１と永久磁石２２との電磁結合を弱い状態で保持して、音源ユニット１７から供給される音源信号に基づく楽曲を小さな音で発生する状態を継続させる。
そして、コイル２１と永久磁石２２との電磁結合を無くすときは、上部振動板２３ｂを上向きに移動又は回動させることにより、楽曲音の発生を停止させる。逆に、電磁結合をさらに強めるときは、上部振動板２３ｂを下向きに移動又は回動させて、楽曲の発生音量を増大させる。
【００４１】
なお、反発用磁石２４ａおよび反発用磁石２４ｂは、両方に永久磁石を用いれば電源を必要とせず、構成が簡単で済み、安価に製造できる利点がある。また、反発用磁石２４ａおよび反発用磁石２４ｂの一方を永久磁石とし、他方を電磁石とすれば、電磁石の電流を調整することにより、ニュートラル位置（無操作安定位置）を微妙に調整可能となり、上部振動板２３ｂの位置による音量変化を微調整できる利点もある。
【００４２】
（変形例２）
図４は、上部振動板２３ｂを基台２３ａに取り付ける構造の他の例を示す斜視図である。図４の変形例では、上部振動板２３ｂを基台２３ａに取り付ける構造が、上部振動板２３ｂに形成された複数の差込片２３６を基台２３ａの複数の長孔２３６に差し込むことによって装着するように構成したものである。
【００４３】
より具体的には、上部振動板２３ｂには、折曲片２３４の長手方向にある間隔を空けて、かつコイル２１の厚みに相当する長さより下部位置に、１対の又は複数個の差込片２３６が形成される。この差込片２３６は、その平面形状（又は正面から見た形状）が例えば先端が尖って折曲片２３４の付け根部分で広がるような、台形状，円弧状又は三角形状等に選ばれる。
一方、基台２３ａには、平坦面２３１の背面側の側壁部２３２の近傍の平坦面２３１であって、差込片２３６に対応する位置に、複数の長孔２３７が形成される。複数の長孔２３７は、差込片２３６を差し込み可能な長さ（差込片２３６の幅と同程度の長さ）であり、かつその板厚と同程度の幅の厚みの長孔に選ばれる。
そして、上部振動板２３ｂの差込片２３６を基台２３ａの複数の長孔２３７に差し込み、上部振動板２３ｂを基台２３ａに装着した後、差込片２３６の点線部分で折り曲げることによって、上部振動板２３ｂを基台２３ａに対して回動自在に取り付ける。
【００４４】
このように構成すれば、上部振動板２３ｂを基台２３ａに取り付ける際に、差込片２３６を長孔２３７に差し込み、その後差込片２３６の両側の角を基台２３ａの裏側で内側に折り曲げるだけで抜けるのを防止できる。この場合、上部振動板２３ｂを基台２３ａに取り付ける工程が簡単かつ迅速に行える。
【００４５】
（変形例３）
図５は、図２及び図３の実施例のスピーカー型リズム楽器の変形例であって、ホーン型振動部材を装着した上部振動部材の他の例を示す斜視図である。
この変形例では、上部振動板２３ｂには、永久磁石２２の装着位置の上面に、椀状（又はカップ型）の厚紙又は薄いプラスチック材料からなるホーン振動部材２８が装着される。このホーン振動部材２８は、上部振動板２３ｂに伝達される楽曲に応じた振動によって振動するものであって、椀状部分の向いている方向へ空間振動を発生して、楽曲音の放射する方向を決める働きをする。
【００４６】
（リズム楽器として使用する場合の楽曲・リズム演奏の楽しみ方）
上述のように構成されたスピーカー型リズム楽器２０（又は１０）は、音源ユニット１７から発生される楽曲によって、次のような種々の楽しみ方がある。
例えば、楽曲が歌詞のないジャズ，ポピュラー又はクラシック音楽等の場合は、楽曲の音の発生に合わせて、上部振動板２３ｂを上下にリズミカルに回動して、コイル２１と永久磁石２２の磁気結合の強弱を変化させて、ドラム，ベース，打楽器等の音（ＢＧＭ）に合わせて、楽曲の音の強弱を変化させるように、リズム演奏する。なお、歌詞のあるこれらの楽曲の場合でも、同様にリズム演奏してもよいことは勿論である。
【００４７】
また、楽曲が歌詞のある歌謡曲，ポピュラー，フォーソング，歌唱曲等の場合は、使用者が歌詞を知っている（又は覚えている）フレーズの期間において上部振動板２３ｂを上方向に回動してコイル２１と永久磁石２２の磁気結合を無くして（又は弱めて）音源信号の楽曲の音の発生を抑制した状態で、使用者が歌唱する。
一方、使用者が歌詞を覚えていないか曖昧なフレーズの期間では、上部振動板２３ｂを基台２３ａに近づけるように下方向に回動してコイル２１と永久磁石２２の磁気結合を強めて（又は弱めて）、音源信号の楽曲の発生音量を大きくして、その楽曲音と一緒に歌って、歌唱練習してもよい。
この場合、上部振動板２３ｂは、楽曲音の発生を一時的にオフ（又は弱い音）にしたり、オン（又は強い音）にするためのスイッチとてして使用でき、カラオケの練習に有益となる。
【００４８】
また、楽曲がステレオ録音されたものであって、一方のチャンネルがカラオケ演奏でありかつ他方のチャンネルが歌手の歌っている音声（歌唱音）からなる場合は、スピーカー型リズム楽器２０（又は１０）を２つ準備し、それぞれをカラオケ演奏用と歌唱音声用に分けて使用する。カラオケ演奏用のリズム楽器２０は連続的にカラオケ演奏音を発生させ、歌唱音声用のリズム楽器２０は上述の段落番号［００４７］のように使用して楽しんでも良い。
逆に、歌唱音声用のリズム楽器２０は連続的に歌唱音声を発生させ、カラオケ演奏用のリズム楽器２０は上述の段落番号［００４６］に記載のように使用して、知っている楽曲のリズム演奏を楽しんでも良い。
さらに、楽曲が歌詞のない器楽演奏音のみの場合であっても、２つのスピーカー型リズム楽器２０を２つ使って、一方はベース等の低音楽器又はドラム等の打楽器のパートのリズム演奏用、他方はメロデー楽器に合わせたリズム演奏用として、２人で二重奏を楽しんでもよい。
【００４９】
上述の段落番号［００４６］〜段落番号［００４８］で説明した楽しみ方は、楽器を使えない高齢者に使用してもらえば、楽曲を耳で聞きながら、自分でも歌ったりリズム演奏することにより、耳で聞いたリズムに合わせて手を動かす操作と、口で歌う動作を行うので、複数の感覚を同時に使ったり関連付けて使うことになり、楽曲を楽しみながら、認知症予防のトレーニング（又はリハビリ）を行う装置として使用することもできる。
【００５０】
上述のスピーカー型リズム楽器２０（又は１０）の部品をセット販売とし、それを小学生又は高齢者に自分自身で組み立ててもらった後で、上述の段落番号［００４６］〜段落番号［００４８］において説明したような使用方法で楽しんでもらうことにしても良い。これによって、スピーカー型リズム楽器を工作する喜びを体験してもらうとともに、リズム演奏を楽しんでもらうことができ、自分で作ったスピーカー型リズム楽器に愛着を持って長くリズム演奏に親しんでもらうことができ、２通りの楽しみ方を体験できる。
【００５１】
なお、変形例１に代えて、上述の実施例１又は実施例２において、コイル１１又は２１に供給する音源信号（交流）に直流を重畳すれば、コイル１１，２１と永久磁石１２，２２と振動部材１３，２３からなるスピーカーが最も振動し易い状態の位置をずらすこともできる。これによって、ニュートラル位置を変更してもよい。
【００５２】
（実施例３）
図６はこの発明のその他の実施例のスピーカー型リズム楽器の斜視図である。
この実施例のスピーカー型リズム楽器３０が図２のスピーカー型リズム楽器２０と異なる点は、上部板状部材３３ｂを２分割して、左用の上部板状部材３３ｂＬと右用の上部板状部材３３ｂＲを設けて、左右の上部板状部材３３ｂＬ，３３ｂＲを別々にかつ独立して操作可能に構成したことである。
【００５３】
より具体的には、スピーカー型リズム楽器３０は、左用コイル３１Ｌ，右用コイル３２Ｒと、左用永久磁石３２Ｌ，右用永久磁石３２Ｒと、振動部材３３とから構成される。この振動部材３３は、段ボール又は厚紙等からなる箱型の基台３３ａと、基台３３ａの上面で回動自在とされる上部板状部材（又は板状部材）３３ｂによって構成される。この基台３３ａが実施例１の下部振動板１３ａと支持部材１５に対応し、上部板状部材３３ｂが上部振動板１３ｂと弾性体１４に対応する。
【００５４】
基台３３ａは、扁平な箱型形状であって、その上面に平坦面（又は天板面）３３１を有し、平坦面３３１の下方に４辺の周面を囲む側壁部３３２を形成して構成される。基台３３ａの平坦面３３１の上面には、コイル３１Ｌとコイル３１Ｒが横方向（又は長手方向）に間隔を空けて配置されかつ接着剤等によって接着されて、固定的に取付けられる。これらのコイル３１Ｌ，３１Ｒは、実施例１のコイル１１と同様に製作される。
【００５５】
基台３３ａの一辺には、上部板状部材３３ｂの折曲部３３４が装着される。この上部板状部材３３ｂは、基台３３ａの平坦面３３１とほぼ同程度の平面形状を有する上部振動板（後述の左上部板状部材３３ｂＬと右上部板状部材３３ｂＲを合わせた部分）と、折曲部３３４を有する。折曲部３３４は、その幅が基台３３ａの長辺とほぼ同程度であり、その奥行がコイル３１Ｌ，３１Ｒの厚みと同程度の長さに加えて側壁部３３２（図８の断面図の右側の側面、図６の斜視図の背面側の側面）に貼り付けるための貼付代の長さとを合わせた長さに選ばれる。上部振動板と折曲部３３４との接合部分が、上部板状部材３３ｂの回動軸３３５となる。
【００５６】
また、上部板状部材３３ｂは、長手方向の中央部で、奥行方向に沿う切欠部３４を形成することにより、折曲部３３４によって連結された状態で、左上部板状部材３３ｂＬと右上部板状部材３３ｂＲに分割される。それによって、左上部板状部材３３ｂＬと右上部板状部材３３ｂＲとが個別にかつ独立して回動自在に基台３３ａに装着されることになる。
【００５７】
換言すると、左上部板状部材３３ｂＬ及び右上部板状部材３３ｂＲは、1枚の大きな段ボール又は厚紙を上部振動板（３３ｂＬと３４と３３ｂＲを合わせた平面部分）と折曲部３３４を合わせた形状に切断した後、回動軸３３５の部分で折り曲げられて回動（又は折曲げ）自在に形成され、長手(又は横)方向の略中央に切欠部３４を奥行方向に形成することによって２分割される。そして、折曲部３３４の下方の一部の面（貼付代の部分）が基台３３ａのある１つの側壁部（図６の背面側壁部）３３２に接着剤等で接着されて、基台３３ａに固定的に装着される。
【００５８】
上部板状部材３３ｂＬと３３ｂＲのほぼ中央部であってコイル３１の取付け位置に対応する位置には、貫通孔がそれぞれ形成される。各貫通孔には棒状の永久磁石３２Ｌと３２Ｒがそれぞれ挿入されて、永久磁石３２が接着剤等で左上部板状部材３３ｂＬと右上部板状部材３３ｂＲに接着されることにより固定的に装着される。
【００５９】
使用者がリズム演奏する場合は、左手（又は指）で左上部板状部材２３ｂＬの開放端部（図６の手前部分）を、右手で右上部板状部材２３ｂＲの開放端部を摘んで、左右を別々に上下にリズミカルに動かすことによって、楽曲の左チャンネルと右チャンネルのリズムに合わせて小刻みに動かしてリズム演奏する如く操作する。これによって、楽曲の左右のチャンネルのリズムに合わせて、リズム演奏しているような興趣を楽しむことができる
【００６０】
なお、コイル３１Ｌ，３１Ｒと永久磁石３２Ｌ，３２Ｒを装着する振動板は、上下を逆にしてもよい。すなわち、コイル３１Ｌ，３１Ｒを上部振動板３３ｂに装着し、永久磁石３２Ｌ，３２Ｒを上部振動板３３ｂに装着してもよい。
【００６１】
（実施例４）
図７はこの発明のその他の実施例のスピーカー型リズム楽器の斜視図であって、上部板状部材における永久磁石の周りにピックアップを装着した状態を示す斜視図である。この実施例は、図６の実施例のスピーカー型リズム楽器の変形例でもある。
図８は図７の実施例におけるコイルとピックアップ部分に沿う断面図である。
この実施例のスピーカー型リズム楽器３０Ａが図６のリズム楽器３０と異なる点は、左用永久磁石３２Ｌの周りに左用ピックアップ３５Ｌを装着するとともに、右用永久磁石３２Ｒの周りに右用ピックアップ３５Ｒを装着して構成したことである。これらのピックアップ３５Ｌ及び３５Ｒは、椀状（又はホーン状）の振動収集部（又は収音部）の基部のボビンにコイルを巻回して形成され、振動収集部によって収集された音の空気振動（結果的に収音部によって収音された音）に応じてコイルに流れる電流の変化を検出することにより、再生された音を検出するものである。
このようにピックアップ３５Ｌ及び３５Ｒを装着することによって、上部振動板３３ｂと下部振動板３３ａから発生される振動の強弱と周波数に起因する音を検出するものである。ピックアップ３５Ｌ及び３５Ｒによって検出された振動に応じた音の信号は、後述の図９に示す増幅回路１８Ｌ，１８Ｒへの入力信号として用いられる。
なお、ピックアップ３５Ｌ及び３５Ｒは、振動検出する部材に代えて、マイクロホン又は小型スピーカーを用いてもよい。
【００６２】
図９は図７の実施例におけるスピーカー型リズム楽器３０Ａの電気回路図である。
このスピーカー型リズム楽器３０Ａでは、音源ユニット１７の左右の出力（音源信号）が左用増幅回路１８Ｌ，右用増幅回路１８Ｒのそれぞれの入力として与えられる。各増幅回路１８Ｌ，１８Ｒの出力（電流）が対応するコイル３１Ｌ，３１Ｒに供給される。このとき、左上部板状部材３３ｂＬを操作したときのコイル３１Ｌと永久磁石３２Ｌの電磁結合状態によって発生する音（リズム演奏音）が左用ピックアップ３５Ｌによって検出される。
【００６３】
また、スピーカー型リズム楽器３０Ａに関連して、外部に左用スピーカー３６Ｌと右用スピーカー３６Ｒが別個に準備されて、対応する増幅回路３７Ｌ，３７Ｒに接続される。この左用スピーカー３６Ｌと右用スピーカー３６Ｒは、スピーカーボックスに収納された市販の外付けスピーカーである。
そして、左上部板状部材３３ｂＬを操作したときのコイル３１Ｌと永久磁石３２Ｌの電磁結合状態によって発生する音（リズム演奏音）が左用ピックアップ３５Ｌによって検出される。左用ピックアップ３５Ｌによって検出された電気信号が左用増幅回路３７Ｌによって増幅されて、外部の左用スピーカー３６Ｌを駆動する。また、右用ピックアップ３５Ｒによって検出された電気信号が右用増幅回路３７Ｒによって増幅されて、外部の右用スピーカー３６Ｒを駆動する。
【００６４】
次に、図７〜図９を参照して、実施例４の動作を説明する。
音源ユニット１７の左右の出力（左音源信号，右音源信号）が対応する左用増幅回路１８Ｌ，右用増幅回路１８Ｒの入力として与えられる。左用増幅回路１８Ｌは，左チャンネルの音源信号を増幅して、当該音源信号に応じた周波数の電流を左用コイル３１Ｌに供給して、コイル３１Ｌを励磁する。また、右用増幅回路１８Ｒは，右チャンネルの音源信号を増幅して、当該音源信号に応じた周波数の電流を右用コイル３１Ｒに供給して、コイル３１Ｒを励磁する。
【００６５】
このとき、左上部板状部材３３ｂＬを下向きに回動して左用永久磁石３２Ｌを左用コイル３１Ｌに近接させて、両者の磁気的結合を強くさせると、基台３３１と左上部板状部材３３ｂＬが振動して、左音源信号の周波数に応じた音又は音楽を発生する。一方、右上部板状部材３３ｂＲを下向きに回動して右用永久磁石３２Ｒを右用コイル３１Ｒに近接させて、両者の磁気的結合を強くさせると、基台３３１と右上部板状部材３３ｂＲが振動して、右音源信号の周波数に応じた音又は音楽を発生する。
この状態において、使用者が左音源信号のリズムに合わせて左手で左上部板状部材３３ｂＬを上下に小刻みに移動させて、永久磁石３２Ｌとコイル３１Ｌの磁気結合を変化させると、基台３３１と左上部板状部材３３ｂＬの振動状態が変化し、左音源信号に基づく音量の強弱が変化するので、リズム楽器演奏しているような感覚でリズム音を発生することができる。同時に、使用者が右音源信号のリズムに合わせて右手で右上部板状部材３３ｂＲを小刻みに上下に移動を繰り返して、永久磁石３２Ｒとコイル３１Ｒの磁気結合の強弱を変化させると、基台３３１と右上部板状部材３３ｂＲの振動状態が変化し、右音源信号に基づく音量の強弱が変化するので、リズム楽器演奏しているような感覚で左右の２種類のリズム音を発生することができる。
【００６６】
さらに、基台３３１と左上部板状部材３３ｂＬの振動状態に基づくリズム演奏による音がピックアップ３５Ｌによって検出される。すなわち、ピックアップ３５Ｌは、左音源信号の周波数の音（音声又は音楽）でありかつ永久磁石３２Ｌとコイル３１Ｌの磁気結合の変化による振動の強弱に応じた起電力を発生して、左用増幅回路３７Ｌに与える。
同時に、基台３３１と右上部板状部材３３ｂＲの振動状態がピックアップ３５Ｒによって検出される。すなわち、ピックアップ３５Ｒは、右音源信号の周波数の音（音声又は音楽）でありかつ永久磁石３２Ｒとコイル３１Ｒの磁気結合の変化による振動の強弱に応じた起電力を発生して、右用増幅回路３７Ｒに与える。
左用増幅回路３７Ｌは、ピックアップ３５Ｌからのリズム演奏による電気信号を増幅して、スピーカー３６Ｌを駆動させて大きな音量の音を発生させる。また、右用増幅回路３７Ｒは、ピックアップ３５Ｒからのリズム演奏による電気信号を増幅して、スピーカー３６Ｒを駆動させて大きな音量の音を発生させる。
【００６７】
なお、図６〜図８の例では、コイル３１Ｌ，３１Ｒを固定された基台３３１側とし、永久磁石３２Ｌ，３２Ｒ及び／又はピックアップ３５Ｌ，３５Ｒを回動自在な上部板状部材３３ｂＬ，３３ｂＲ側に装着した場合を説明したが、固定側と回動側を逆に装着しても良いことは勿論である。
【００６８】
（実施例４の装置を用いたリズム演奏の楽しみ方）
上述のように、左用永久磁石３２Ｌに関連して左用ピックアップ３５Ｌを装着し、右用永久磁石３２Ｒに関連して右用ピックアップ３５Ｒを装着して、左上部板状部材３３ｂＬと右上部板状部材３３ｂＲを左手と右手で上下移動（又は回動）の操作可能に構成することにより、左上部板状部材３３ｂＬが左音源信号の音又は音楽のリズムに関連してリズム演奏し、右上部板状部材３３ｂＲが右音源信号の音又は音楽のリズムに関連してリズム演奏することになる。
例えば、音源ユニット１７の発生する音楽が楽器演奏曲であって、左音源信号がベース、右音源信号がギターの場合は、左上部板状部材３３ｂＬと右上部板状部材３３ｂＲの上下移動の操作によって、ベースの音とギターの音に合わせたリズム演奏を楽しむことができる。換言すれば、使用者は、音源信号の楽曲のパートに合わせてリズム演奏を楽しむことができる。
また、音源ユニット１７の発生する音楽がボーカルの音声と楽器による伴奏の曲であって、左音源信号が楽器伴奏の楽曲、右音源信号がボーカルの音声の場合、左上部板状部材３３ｂＬと右上部板状部材３３ｂＲの上下移動の操作によって、伴奏楽曲とボーカルの歌声に合わせたリズム演奏を楽しむことができる。
このとき、左用ピックアップ３５Ｌ及び／又は右用ピックアップ３５Ｒによって検出された振動に応じた音信号が、左右の増幅回路１８Ｌ及び／又は１８Ｒによって増幅されて、スピーカー３５Ｌ及び／又はスピーカー３５Ｒから音（音楽）として発生されるので、左上部板状部材３３ｂＬ，右上部板状部材３３ｂＲと基台３３１から発生する音よりも大きな音量の音楽としてリズム演奏音を聴くことができる。
また、左上部板状部材３３ｂＬと右上部板状部材３３ｂＲの上下移動の位置や速度を微妙に変化させて、左チャンネルと右チャンネルの音量を変化させて、発生音の強弱をつけることにより、変化に富んだリズム演奏を行うことができる。
【００６９】
さらに、左チャンネルと右チャンネルの一方の音源信号に基づいてリズム演奏したい場合は、左上部板状部材３３ｂＬ又は右上部板状部材３３ｂＲの何れかを上下移動させて何れかのチャンネルの音でリズム演奏し、他方を閉じた状態に固定して一定の音量を発生させてもよい。
【００７０】
（実施例５）
図１０はこの発明のその他の実施例のスピーカー型リズム楽器の断面図である。
この実施例のスピーカー型リズム楽器４０は、コイル４１と、永久磁石４２と、振動部材４３と、支持部材４５と、コイル４１の位置をガイドするためのガイド部材４７とを含む。この実施例では、ガイド部材４７がコイル４１を摺動自在に支持する構成によって、相対位置変位手段を構成したものである。
【００７１】
より具体的には、コイル（又は励磁コイル）４１は、円筒状のボビンにエナメル線等の導線を数十ないし数百回程度巻回して成る。永久磁石４２は、強力な磁力を有する磁石であり、フェライト磁石やネオジウム磁石等が用いられる。この永久磁石４２は、上部が円柱状で、下部に鍔状部（又はコイン状部）を有する断面Ｔ字型をしている。
振動部材４３は、厚紙，段ボール，木材の板又はプラスチック板等の材料からなる。振動部材４３の平面から見て外周部の下方には、支持部４５が形成される。振動部材４３と支持部４５は、大きな厚紙等の同一の素材を折り曲げて、糊付けして形成してもよい。
【００７２】
振動部材４３の平面部の適宜の位置（例えば、中央）には、永久磁石４２の円柱状部と略同じ径の孔が開けられている。当該孔には永久磁石４２の円柱状部が挿通されて、鍔状部の上面が振動部材４３の孔の周面に接着される。
永久磁石４２の円柱状部には、管状のガイド部材４７が差し込まれて、振動部材４３の上部で保持される。ガイド部材４７には、ボビン形状のコイル４１が挿入される。これによって、コイル４１は、ガイド部材４７によってガイドされて、振動部材４３の上部位置で上下に摺動自在に支持される。
【００７３】
この実施例のスピーカー型リズム楽器４０を用いてリズム演奏する場合、次のように使用され、操作される。
コイル４１には音源信号からの電流が予め供給される。そして、コイル４１を上下に摺動させて、コイル４１と永久磁石４１との電磁結合状態を変化させることによって、電磁結合の強弱に応じた音量の音が発生される。すなわち、リズム演奏は、使用者が音源信号の楽曲のリズムに合わせて、指先でコイル４１を摘んで外部部材４７に沿って上下に摺動（スライド）させる動きを変化させることにより行う。
【００７４】
（実施例６）
図１１はこの発明のさらにその他の実施例のスピーカー型リズム楽器の断面図である。
この実施例スピーカー型リズム楽器５０は、図１０の実施例のガイド部材４７に代えて、紙コップ５７を用いる。また、紙コップ５７の底面に永久磁石４１の円柱状部を挿通する孔を形成しておき、紙コップ５７の底面の裏面にはコイル４１が接着される。その他の構成は、図１０と同一なので、同一部分に同一参照符号を付し、具体的な構成の説明を省略する。
そして、リズム演奏は、使用者が音源信号の楽曲のリズムに合わせて、指先で紙コップ５７を摘んで上下に移動させる操作を繰り返すことにより、コイル４１と永久磁石４２との相対的位置を変化させて、コイル４１と永久磁石４２との電磁結合状態を変化させることにより行う。
【産業上の利用可能性】
【００７５】
この発明のスピーカー型リズム楽器は、スピーカーをリズム楽器として使用できるので、リズム楽器としての産業上の利用意義が大きい。
【符号の説明】
【００７６】
１０，２０，３０，３０Ａ，４０，５０        スピーカー型リズム楽器
１１，２１，３１Ｌ，３１Ｒ，４１      コイル（励磁コイル）
１２，２２，３２Ｌ，３２Ｒ，４２      永久磁石
１３，２３，４３      振動部材
１３ａ          下部振動板
１３ｂ          上部振動板
１４            弾性体
１５，４５            支持部材
１７            音源ユニット
１８，１８Ｌ，１８Ｒ，３７Ｌ，３７Ｒ      増幅回路
２３ａ，３３ａ      基台
２３ｂ，３３ｂ      上部振動板
３３ｂＬ，３３ｂＲ  上部板状部材
２４ａ，２４ｂ      反発用磁石
３４                切り欠き部
３５Ｌ，３５Ｒ      ピックアップ
３６Ｌ，３６Ｒ      スピーカー
４７                ガイド部材
５７                紙コップ
【図１】
2020106829.tif 000003
【図２】
2020106829.tif 000004
【図３】
2020106829.tif 000005
【図４】
2020106829.tif 000006
【図５】
2020106829.tif 000007
【図６】
2020106829.tif 000008
【図７】
2020106829.tif 000009
【図８】
2020106829.tif 000010
【図９】
2020106829.tif 000011
【図１０】
2020106829.tif 000012
【図１１】
2020106829.tif 000013